(57)【要約】【課題】  容易かつ迅速に敷設することが可能な仮設ケーブル保護カバーを提供する。【解決手段】  臨時に敷設される仮設ケーブル１００を保護するための仮設ケーブル保護カバー１であって、筒状で、長手方向に延びて形成された挿入部２５から仮設ケーブル１００が挿入されるカバー本体２と、カバー本体２の周面に配設され、カバー本体２を移動自在にするキャスタ３と、を備える。【選択図】  図１
2018061302.tif 000002
【特許請求の範囲】
【請求項１】
臨時に敷設される仮設ケーブルを保護するための仮設ケーブル保護カバーであって、
筒状で、長手方向に延びて形成された挿入部から前記仮設ケーブルが挿入されるカバー本体と、
前記カバー本体の周面に配設され、前記カバー本体を移動自在にする車輪と、
を備えることを特徴とする仮設ケーブル保護カバー。
【請求項２】
前記カバー本体は、略三角筒状で、該カバー本体の底面側に前記車輪が配設されている、
ことを特徴とする請求項１に記載の仮設ケーブル保護カバー。
【請求項３】
前記カバー本体の挿入部を開閉し、前記カバー本体に前記仮設ケーブルを挿入して閉じた際に、前記仮設ケーブルを前記カバー本体とで挟持する開閉蓋を備える、
ことを特徴とする請求項１または２のいずれか１項に記載の仮設ケーブル保護カバー。
【請求項４】
複数の外径の前記仮設ケーブルを前記開閉蓋と前記カバー本体とで挟持可能となっている、
ことを特徴とする請求項３に記載の仮設ケーブル保護カバー。
【請求項５】
請求項１〜４のいずれか１項に記載の仮設ケーブル保護カバーを使用して、前記仮設ケーブルを敷設する仮設ケーブル敷設方法であって、
ドラムに巻かれた前記仮設ケーブルを引き出し、該仮設ケーブルを仮設ケーブル保護カバーの前記カバー本体に挿入し、前記車輪を敷設面に当接させて前記カバー本体を移動させながら前記仮設ケーブルを前記ドラムから引き出し、引き出した前記仮設ケーブルを次の仮設ケーブル保護カバーの前記カバー本体に挿入し、前記車輪を敷設面に当接させて前記カバー本体を移動させながら前記仮設ケーブルを前記ドラムから引き出す、という工程を所望長の前記仮設ケーブルが敷設されるまで繰り返す、
ことを特徴とする仮設ケーブル敷設方法。
【発明の詳細な説明】
【技術分野】
【０００１】
この発明は、臨時・応急的に敷設される仮設ケーブルを保護するための仮設ケーブル保護カバーと、これを使用した仮設ケーブル敷設方法に関する。
【背景技術】
【０００２】
地震などの災害が発生した際の災害復旧時には、例えば、電源ケーブルを仮設ケーブルとして路上に敷設することが多い。しかしながら、路上に敷設された仮設ケーブルは、瓦礫等の落下物の衝突などによる衝撃や外力によって損傷する可能性があり、このため、ケーブルを保護するためのカバーが知られている（例えば、特許文献１参照。）。このケーブル保護カバーは、硬質ゴムや硬質プラスチックで構成され、断面形状が扁平三角形の長尺帯状体で、ケーブルを挿入する挿通孔が全長にわたって設けられているものである。
【先行技術文献】
【特許文献】
【０００３】
【特許文献１】実開昭５９−８２１５号公報
【発明の概要】
【発明が解決しようとする課題】
【０００４】
ところで、ケーブルを安定的に路上に敷設し、かつ、衝撃や外力からケーブルを保護するには、所定の強度や剛性を有する材料でケーブル保護カバーを構成する必要があり、その結果、ケーブル保護カバーの重量が重くなる。しかしながら、特許文献１に記載のケーブル保護カバーでは、災害復旧時などに人がケーブル保護カバーを敷設箇所まで持ち運んで敷設しなければならないため、多大な人員、労力と時間とを要する。
【０００５】
しかも、災害現場の位置や災害状況などによっては、仮設ケーブルを長距離（例えば、数百ｍ）にわたって敷設しなければならない場合がある。このような場合、数ｍのケーブル保護カバーを多数敷設箇所まで持ち運んで路上に設置し、各ケーブル保護カバーにケーブルを挿入するという作業をしなければならないため、多大な人員、労力を要するばかりでなく、災害復旧に多大な時間を要することになる。例えば、原子力発電所の事故発生時等において迅速な電源復旧が要求される場合に、その要求に対応できないおそれがある。
【０００６】
そこでこの発明は、容易かつ迅速に敷設することが可能な仮設ケーブル保護カバーと、これを使用した仮設ケーブル敷設方法を提供することを目的とする。
【課題を解決するための手段】
【０００７】
上記課題を解決するために、請求項１の発明は、臨時に敷設される仮設ケーブルを保護するための仮設ケーブル保護カバーであって、筒状で、長手方向に延びて形成された挿入部から前記仮設ケーブルが挿入されるカバー本体と、前記カバー本体の周面に配設され、前記カバー本体を移動自在にする車輪と、を備えることを特徴とする。
【０００８】
請求項２の発明は、請求項１に記載の仮設ケーブル保護カバーにおいて、前記カバー本体は、略三角筒状で、該カバー本体の底面側に前記車輪が配設されている、ことを特徴とする。
【０００９】
請求項３の発明は、請求項１または２に記載の仮設ケーブル保護カバーにおいて、前記カバー本体の挿入部を開閉し、前記カバー本体に前記仮設ケーブルを挿入して閉じた際に、前記仮設ケーブルを前記カバー本体とで挟持する開閉蓋を備える、ことを特徴とする。
【００１０】
請求項４の発明は、請求項３に記載の仮設ケーブル保護カバーにおいて、複数の外径の前記仮設ケーブルを前記開閉蓋と前記カバー本体とで挟持可能となっている、ことを特徴とする。
【００１１】
請求項５の発明は、請求項１〜４のいずれか１項に記載の仮設ケーブル保護カバーを使用して、前記仮設ケーブルを敷設する仮設ケーブル敷設方法であって、ドラムに巻かれた前記仮設ケーブルを引き出し、該仮設ケーブルを仮設ケーブル保護カバーの前記カバー本体に挿入し、前記車輪を敷設面に当接させて前記カバー本体を移動させながら前記仮設ケーブルを前記ドラムから引き出し、引き出した前記仮設ケーブルを次の仮設ケーブル保護カバーの前記カバー本体に挿入し、前記車輪を敷設面に当接させて前記カバー本体を移動させながら前記仮設ケーブルを前記ドラムから引き出す、という工程を所望長の前記仮設ケーブルが敷設されるまで繰り返す、ことを特徴とする。
【発明の効果】
【００１２】
請求項１の発明によれば、カバー本体の周面に車輪が配設されているため可搬性に優れ、人が仮設ケーブル保護カバーを敷設箇所まで持ち運ぶ必要がなく、容易かつ迅速に仮設ケーブル保護カバーを敷設することが可能となる。すなわち、例えば、仮設ケーブルをカバー本体に挿入し、車輪を敷設面上（床面上）で輪転させて仮設ケーブルとカバー本体を移動させることで、容易かつ迅速に仮設ケーブルと仮設ケーブル保護カバーを敷設することが可能となる。
【００１３】
請求項２の発明によれば、カバー本体が略三角筒状で、カバー本体の底面側に車輪が配設され、車輪を敷設面上に当接させると、仮設ケーブル保護カバーが三角屋根上に配置されるため、落下物による損傷や堆積などを抑制することができる。
【００１４】
請求項３の発明によれば、仮設ケーブルをカバー本体に挿入して開閉蓋を閉じることで、仮設ケーブルがカバー本体と開閉蓋で挟持されて、仮設ケーブルと仮設ケーブル保護カバーが強固に一体化される。このため、仮設ケーブルと仮設ケーブル保護カバーが常に一体的に移動するため、より容易かつ迅速に仮設ケーブルと仮設ケーブル保護カバーを敷設することが可能となる。また、開閉蓋を空けることで、仮設ケーブルを仮設ケーブル保護カバーから容易に取り外すことができる。
【００１５】
請求項４の発明によれば、複数の外径の仮設ケーブルを開閉蓋とカバー本体とで挟持可能となっているため、１つの仮設ケーブル保護カバーで外径が異なる複数種の仮設ケーブルに対応することができる。このため、外径が異なる仮設ケーブルごとに仮設ケーブル保護カバーを製作、用意する必要がなく、経済的であるとともに、保管場所も削減することができる。
【００１６】
請求項５の発明によれば、仮設ケーブルを仮設ケーブル保護カバーのカバー本体に挿入して、車輪を敷設面上（床面上）で輪転させてカバー本体を移動させながら仮設ケーブルをドラムから引き出す、ということを繰り返すだけでよいため、容易かつ迅速に仮設ケーブルと仮設ケーブル保護カバーを敷設することが可能となる。すなわち、仮設ケーブル保護カバーを敷設箇所まで持ち運んだり、仮設ケーブル保護カバーを敷設軌道に沿って配置したりする必要がなく、仮設ケーブルを所望の軌道に敷設すれば、仮設ケーブル保護カバーも敷設されるため、容易かつ迅速な敷設が可能となる。
【図面の簡単な説明】
【００１７】
【図１】この発明の実施の形態１に係る仮設ケーブル保護カバーを示す正面図（ａ）と側面図（ｂ）である。
【図２】図１の仮設ケーブル保護カバーを使用して仮設ケーブルを敷設する方法を示す概念図である。
【図３】この発明の実施の形態２に係る仮設ケーブル保護カバーを示す正面図（ａ）と側面図（ｂ）である。
【図４】この発明の実施の形態における他の仮設ケーブル保護カバーを示す正面図（ａ）と側面図（ｂ）である。
【発明を実施するための形態】
【００１８】
以下、この発明を図示の実施の形態に基づいて説明する。
【００１９】
（実施の形態１）
図１は、この実施の形態に係る仮設ケーブル保護カバー１を示す正面図（ａ）と側面図（ｂ）であり、図２は、仮設ケーブル保護カバー１を使用して仮設ケーブル１００を敷設する仮設ケーブル敷設方法を示す概念図である。この仮設ケーブル保護カバー１は、臨時・応急的に敷設される仮設ケーブル１００を保護するためのカバーであり、主として、カバー本体２とキャスタ（車輪）３とを備える。
【００２０】
カバー本体２は、筒状で、長手方向に延びて形成された挿入部２５から仮設ケーブル１００が挿入されるものである。すなわち、高い電気絶縁性と弾性および所定の強度を有する材料（例えば、ゴム材）で構成され、この実施の形態では、長手方向に垂直な方向での断面外形状が略三角形である略三角筒状で、その断面外形状は、底辺（底面２１）が両側辺（側面２２、２３）に比べて短い略二等辺三角形となっている。
【００２１】
カバー本体２の内部には、長手方向の全長にわたって延びて仮設ケーブル１００が挿入、収容される収容部（筒内空間）２４が設けられている。この収容部２４の断面形状は略円形で、その外径は、保護対象の仮設ケーブル１００の外径とほぼ同径（あるいはやや小さい径）に設定されている。これにより、嵌合・圧入した状態で仮設ケーブル１００が収容部２４に収容されて、仮設ケーブル１００にカバー本体２が一体的に取り付けられるようになっている。
【００２２】
また、一方の側面２２から収容部２４までを貫通して挿入部２５が形成されている。この挿入部２５は、仮設ケーブル１００（収容部２４）の外径よりも幅が小さく、カバー本体２の長手方向の全長にわたって延び、挿入部２５から仮設ケーブル１００を収容部２４に押し入れるように挿入するようになっている。
【００２３】
このようなカバー本体２は、定尺・短尺体で、その長さは、敷設の際の取り扱いや保管などがし易い長さ（例えば、数ｍ）に設定されている。従って、後述するように、敷設する仮設ケーブル１００の長さに応じて複数のカバー本体２を敷設することになる。
【００２４】
キャスタ３は、カバー本体２の周面に配設され、カバー本体２を床面（敷設面）１１０上で移動自在に支持するものである。すなわち、水平軸周りに輪転自在で、かつ、垂直軸周りに回動自在で進行方向を変更自在なキャスタであり、カバー本体２の底面２１側に配設されている。
【００２５】
具体的には、カバー本体２の底面２１に凹状の車輪収容部２６が複数形成され、この車輪収容部２６内にキャスタ３が配設され、キャスタ３の一部がカバー本体２の底面２１から突出した状態となっている。そして、キャスタ３を床面１１０上に当接させて輪転させることで、カバー本体２つまり仮設ケーブル保護カバー１が移動するものである。ここで、キャスタ３の配設数は、カバー本体２の長さや重量などに応じて、安定して容易に仮設ケーブル保護カバー１を移動させられるように設定されており、少なくともカバー本体２の底面２１の四隅近くに配設することが好ましい。同様に、キャスタ３のホイール・車の大きさは、安定して容易に仮設ケーブル保護カバー１を移動させられるように設定されている。
【００２６】
次に、このような構成の仮設ケーブル保護カバー１を使用して、仮設ケーブル１００を敷設する仮設ケーブル敷設方法について、図２に基づいて説明する。ここで、仮設ケーブル１００は、予めドラム１０１に巻かれているものとする。
【００２７】
まず、ドラム１０１に巻かれた仮設ケーブル１００を引き出し、仮設ケーブル１００の引き出した部分を仮設ケーブル保護カバー１のカバー本体２に挿入することで、仮設ケーブル１００の引き出した部分に１つ目の仮設ケーブル保護カバー１を取り付ける（カバー取り付け工程）。次に、この仮設ケーブル保護カバー１のキャスタ３を床面１１０に当接させて、カバー本体２を移動させながら仮設ケーブル１００をドラム１０１から引き出する（ケーブル引き出し工程）。すなわち、キャスタ３を床面１１０上で輪転させることで、仮設ケーブル１００に取り付けられた仮設ケーブル保護カバー１を仮設ケーブル１００と一緒に床面１１０上で移動させ、ドラム１０１から仮設ケーブル１００を新たに引き出す。
【００２８】
同様に、新たに引き出した仮設ケーブル１００を次の仮設ケーブル保護カバー１のカバー本体２に挿入することで、仮設ケーブル１００の引き出した部分に２つ目の仮設ケーブル保護カバー１を取り付ける（カバー取り付け工程）。次に、この仮設ケーブル保護カバー１のキャスタ３を床面１１０に当接させて、カバー本体２を移動させながら仮設ケーブル１００をドラム１０１から引き出す（ケーブル引き出し工程）。そして、このようなカバー取り付け工程とケーブル引き出し工程とを、所望長の仮設ケーブル１００が敷設されるまで繰り返す。
【００２９】
ここで、複数の仮設ケーブル保護カバー１が取り付けられた仮設ケーブル１００をキャスタ３で移動させながら（床面１１０上を這わせながら）、所望の軌道に敷設すれば、すべての仮設ケーブル保護カバー１も仮設ケーブル１００に沿って敷設されるものである。
【００３０】
以上のように、この仮設ケーブル保護カバー１によれば、カバー本体２の底面（周面）２１にキャスタ３が配設されているため可搬性に優れ、人が仮設ケーブル保護カバー１を敷設箇所まで持ち運ぶ必要がなく、容易かつ迅速に仮設ケーブル保護カバー１を敷設することが可能となる。すなわち、例えば、仮設ケーブル１００をカバー本体２に挿入し、キャスタ３を床面１１０上で輪転させて仮設ケーブル１００とカバー本体２を移動させることで、容易かつ迅速に仮設ケーブル１００と仮設ケーブル保護カバー１を敷設することが可能となる。
【００３１】
また、カバー本体２が略三角筒状で、カバー本体２の底面２１側にキャスタ３が配設され、キャスタ３を床面１１０上に当接させると、仮設ケーブル保護カバー１が三角屋根上に配置されるため、落下物による損傷や落下物の堆積などを抑制することができる。
【００３２】
一方、上記の仮設ケーブル敷設方法によれば、仮設ケーブル１００を仮設ケーブル保護カバー１のカバー本体２に挿入して、キャスタ３を床面１１０上で輪転させてカバー本体２を移動させながら仮設ケーブル１００をドラム１０１から引き出す、ということ、つまり、カバー取り付け工程とケーブル引き出し工程を繰り返すだけでよいため、容易かつ迅速に仮設ケーブル１００と仮設ケーブル保護カバー１を敷設することが可能となる。すなわち、仮設ケーブル保護カバー１を敷設箇所まで持ち運んだり、仮設ケーブル保護カバー１を敷設軌道に沿って配置したりする必要がなく、仮設ケーブル１００を所望の軌道に敷設すれば、仮設ケーブル保護カバー１も仮設ケーブル１００に沿って敷設されるため、容易かつ迅速な敷設が可能となる。
【００３３】
（実施の形態２）
図３は、この実施の形態に係る仮設ケーブル保護カバー１を示す正面図（ａ）と側面図（ｂ）である。この実施の形態は、開閉蓋４を備える点で実施の形態１と構成が異なり、実施の形態１と同等の構成については、同一符号を付することでその説明を省略する。
【００３４】
すなわち、カバー本体２の挿入部２５を開閉し、カバー本体２に仮設ケーブル１００を挿入して閉じた際に、仮設ケーブル１００をカバー本体２とで挟持する開閉蓋４を備え、この開閉蓋４は、複数の外径の仮設ケーブル１００をカバー本体２とで挟持可能となっている。具体的には、カバー本体２の収容部（筒内空間）２４の断面形状は略円形で、その外径は、外径が異なる複数種の仮設ケーブル１００を収容できるように、つまり、最も大きい適用対象の仮設ケーブル１００を収容できるように、設定されている。また、挿入部２５の幅が収容部２４の外径とほぼ同寸法で、収容部２４と挿入部２５の断面形状が略Ｕ字状となっている。
【００３５】
開閉蓋４は、高い電気絶縁性と弾性および所定の強度を有する材料（例えば、ゴム材）で構成され、断面が挿入部２５の断面とほぼ同形状（略四角形）の棒状体である。そして、挿入部２５を塞ぐようにカバー本体２の長手方向の全長にわたって延びて配設され、長手方向の一方の端縁がヒンジ４１を介して、隣接する挿入部２５の端縁（カバー本体２の一方の側面２２の挿入部２５との境）に接続されている。これにより、開閉蓋４がヒンジ４１を介して回動し、挿入部２５を開閉するようになっている。また、挿入部２５の他方の端縁側に、複数のフック４２が回動自在に配設され、フック４２を下げることで図示のように開閉蓋４がロックされ、図示の矢印方向にフック４２を上げることで開閉蓋４がロック解除される。
【００３６】
また、開閉蓋４の厚み（閉じた際の収容部２４方向の厚み）は、外径が異なる複数種の仮設ケーブル１００を収容部２４に収容して開閉蓋４を閉じた際に、仮設ケーブル１００の外径に応じて開閉蓋４が変形しながら、仮設ケーブル１００をカバー本体２とで挟持できるように設定されている。つまり、仮設ケーブル１００の外径が異なっていても、その外径に応じて開閉蓋４が変形することで、カバー本体２と開閉蓋４とで仮設ケーブル１００を挟持するようになっている。
【００３７】
このような実施の形態によれば、仮設ケーブル１００をカバー本体２（収容部２４）に挿入して開閉蓋４を閉じることで、仮設ケーブル１００がカバー本体２と開閉蓋４で挟持されて、仮設ケーブル１００と仮設ケーブル保護カバー１が強固に一体化される。このため、仮設ケーブル１００と仮設ケーブル保護カバー１が常に一体的に移動するため、より容易かつ迅速に仮設ケーブル１００と仮設ケーブル保護カバー１を敷設することが可能となる。また、開閉蓋４を空けることで、仮設ケーブル１００を仮設ケーブル保護カバー１から容易に取り外すことができる。
【００３８】
しかも、複数の外径の仮設ケーブル１００をカバー本体２と開閉蓋４とで挟持可能となっているため、１つの仮設ケーブル保護カバー１で外径が異なる複数種の仮設ケーブル１００に対応することができる。このため、外径が異なる仮設ケーブル１００ごとに仮設ケーブル保護カバー１を製作、用意する必要がなく、経済的であるとともに、保管場所も削減することができる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、車輪がキャスタ３の場合について説明したが、その他の車輪であってもよい。例えば、図４に示すような円筒状のローラ５であってもよく、また、全方向に転動自在な球体であってもよい。
【００４０】
また、実施の形態２では、開閉蓋４の弾性変形によって外径が異なる複数種の仮設ケーブル１００を挟持できるようになっているが、その他の構造であってもよい。例えば、開閉蓋４の収容部２４側にバネ材を設け、このバネ材が変形することで、外径が異なる複数種の仮設ケーブル１００を挟持できるようにしてもよい。
【００４１】
さらに、カバー本体２の断面外形状が略三角形である場合について説明したが、その他の形状（例えば、四角形や円形）であってもよく、同様に、収容部２４の断面形状が略円形である場合について説明したが、その他の形状（例えば、三角形や四角形）であってもよい。
【符号の説明】
【００４２】
１      仮設ケーブル保護カバー
２      カバー本体
２１    底面（周面）
２４    収容部
２５    挿入部
３      キャスタ（車輪）
４      開閉蓋
１００  仮設ケーブル
１０１  ドラム
１１０  床面（敷設面）
【図１】
2018061302.tif 000003
【図２】
2018061302.tif 000004
【図３】
2018061302.tif 000005
【図４】
2018061302.tif 000006